(57)【要約】【課題】除霜運転に要する時間を抑制し、かつ除霜運転終了後に迅速に実質的な暖房運転を開始する冷凍装置を実現する。【解決手段】冷凍サイクルを形成する冷凍装置２０に、圧縮機１の吐出側と蒸発器の上流側とを接続するホットガスバイパス路１３と、ホットガスバイパス路１３を開閉するホットガスバイパス開閉弁１２と、蒸発器の除霜運転をおこなう除霜制御手段３２とを設ける。そして、圧縮機１から四方弁２と凝縮器を経て膨張弁に至る配管の蓄熱量を検出する蓄熱量検出手段を設け、除霜制御手段３２は、蒸発器の着霜を検出すると、四方弁２を切替えて逆サイクル除霜運転をおこない、蓄熱量検出手段により検出される配管蓄熱量が設定値以下になったら四方弁２を正サイクル側に切替えると共にホットガスバイパス開閉弁１２を開いてホットガスバイパス除霜運転をおこなう。【選択図】図３
2008096033.tif 000002
【特許請求の範囲】
【請求項１】
冷媒を循環させる配管に、圧縮機と、四方弁と、凝縮器と、膨張弁と、蒸発器とを設けて冷凍サイクルを形成してなり、前記圧縮機の吐出側と前記蒸発器の上流側とを接続するホットガスバイパス路と、該ホットガスバイパス路を開閉するホットガスバイパス開閉弁と、前記蒸発器の除霜運転をおこなう除霜制御手段とを備えてなる冷凍装置において、
前記圧縮機から前記四方弁と前記凝縮器を経て前記膨張弁に至る配管の蓄熱量を検出する蓄熱量検出手段を設け、
前記除霜制御手段は、前記蒸発器の着霜を検出すると、前記四方弁を切替えて逆サイクル除霜運転をおこない、前記蓄熱量検出手段により検出される配管蓄熱量が設定値以下になったら前記四方弁を正サイクル側に切替えると共に前記ホットガスバイパス開閉弁を開いてホットガスバイパス除霜運転をおこなうことを特徴とする冷凍装置。
【請求項２】
冷媒を循環させる配管に、圧縮機と、四方弁と、凝縮器と、膨張弁と、蒸発器とを設けて冷凍サイクルを形成してなり、前記圧縮機の吐出側と前記蒸発器の上流側とを接続するホットガスバイパス路と、該ホットガスバイパス路を開閉するホットガスバイパス開閉弁と、前記蒸発器の除霜運転をおこなう除霜制御手段とを備えてなる冷凍装置において、
前記圧縮機から前記四方弁と前記凝縮器を経て前記膨張弁に至る配管の温度を検出する温度検出手段を設け、
前記除霜制御手段は、前記蒸発器の着霜を検出すると、前記四方弁を切替えて逆サイクル除霜運転をおこない、前記温度検出手段により検出される配管温度が設定値以下になったら前記四方弁を正サイクル側に切替えると共に前記ホットガスバイパス開閉弁を開いてホットガスバイパス除霜運転をおこなうことを特徴とする冷凍装置。
【請求項３】
冷媒を循環させる配管に、圧縮機と、四方弁と、凝縮器と、膨張弁と、蒸発器とを設けて冷凍サイクルを形成してなり、前記圧縮機の吐出側と前記蒸発器の上流側とを接続するホットガスバイパス路と、該ホットガスバイパス路を開閉するホットガスバイパス開閉弁と、前記蒸発器の除霜運転をおこなう除霜制御手段とを備えてなる冷凍装置において、
前記圧縮機から前記四方弁と前記凝縮器を経て前記膨張弁に至る配管の圧力を検出する圧力検出手段を設け、
前記除霜制御手段は、前記蒸発器の着霜を検出すると、前記四方弁を切替えて逆サイクル除霜運転をおこない、前記圧力検出手段により検出される配管圧力が設定値以下になったら前記四方弁を正サイクル側に切替えると共に前記ホットガスバイパス開閉弁を開いてホットガスバイパス除霜運転をおこなうことを特徴とする冷凍装置。
【請求項４】
前記圧縮機の吐出側と吸入側とを接続する吐出バイパス路と、該吐出バイパス路を開閉する吐出バイパス開閉弁とを備え、
前記除霜制御手段は、前記蒸発器の着霜を検出すると、前記吐出バイパス開閉弁を開いて前記逆サイクル除霜運転及び前記ホットガスバイパス除霜運転をおこなうことを特徴とする請求項１乃至３に記載の冷凍装置。
【発明の詳細な説明】
【技術分野】
【０００１】
本発明は、冷凍サイクルを形成してなる冷凍装置に係り、特に、蒸発器に付着した霜を融解させる除霜運転をおこなう冷凍装置に関する。
【背景技術】
【０００２】
圧縮機、四方弁、凝縮器、膨張弁、蒸発器などで冷凍サイクルを形成して負荷の冷却や加熱をおこなう冷凍機や空気調和機などの冷凍装置において、蒸発器に着霜すると逆サイクル除霜運転をおこなうことが従来から知られている。
【０００３】
逆サイクル除霜運転は、例えば特許文献１に開示されるように、暖房運転中に除霜指令を受けたら四方弁を逆サイクル側に切替え、高温高圧のガス冷媒を室外熱交換器に導入することにより、蒸発器として作用していた室外熱交換器を凝縮器として作用させ、熱交換器に付着した霜を融解する方法である。これによれば、室外熱交換器を通過した冷媒は、除霜運転前に室内熱交換器及び室内熱交換器の入口側、出口側の配管など（以下、室内熱交換器側の配管という。）に蓄積された熱を回収しながら圧縮機に吸込まれることとなる。  
一方、逆サイクル除霜運転とは異なる除霜運転として、例えば特許文献２に開示されているようなホットガスバイパス除霜運転も知られている。これは、サイクル切替え手段を正サイクル側のままとして、冷媒回路の圧縮機吐出側配管から蒸発器として作用する室外熱交換器入口側の液管に圧縮機吐出ガス冷媒を導入する除霜用バイパス路を設け、室外熱交換器にホットガスの一部を直接導入して付着した霜を融解する方法である。
【０００４】
【特許文献１】特開２００４−２３３０１５号公報
【特許文献２】特開平３−１５２３７４号公報
【発明の開示】
【発明が解決しようとする課題】
【０００５】
しかしながら、上記特許文献１、２に記載された２つの除霜運転はいずれも除霜運転に要する時間を短縮することに関して十分考慮されていない。
【０００６】
すなわち、逆サイクル除霜運転中の霜の融解熱源は、圧縮機に加えられる電力及び圧縮機、室内熱交換器、室内熱交換器側の配管等に蓄積された蓄熱であるため、除霜運転の初期は、蓄熱を利用して霜の融解熱源を大きくとることができる。しかし、室内熱交換器や室内熱交換器側の配管の蓄熱を全て利用しても霜が完全に溶けない場合は、圧縮機の吸入側の圧力が低下し圧縮機に加えられる電力量が少なくなるため除霜時間が長くなる。
【０００７】
また、除霜運転を終了して暖房運転を再開する場合、室内熱交換器及び室内熱交換器側の配管は低温となっているため、まず室内熱交換器及び室内熱交換器側の配管の温度を上昇させることに暖房熱源が使われ、実質的な暖房運転の開始が遅くなるという問題もある。
【０００８】
一方、ホットガスバイパス除霜運転中の霜の融解熱源は、圧縮機に加えられる電力及び圧縮機に蓄積された蓄熱のみであるため、逆サイクル除霜運転と比較すると、霜の融解熱源が少なく、除霜運転時間が長くなる。
【０００９】
本発明は、除霜運転に要する時間を抑制し、かつ除霜運転終了後に迅速に実質的な暖房運転を開始する冷凍装置を実現することを課題とする。
【課題を解決するための手段】
【００１０】
上記課題を解決するため、本発明の冷凍装置は、冷媒を循環させる配管に、圧縮機と、四方弁と、凝縮器と、膨張弁と、蒸発器とを設けて冷凍サイクルを形成し、圧縮機の吐出側と蒸発器の上流側とを接続するホットガスバイパス路と、ホットガスバイパス路を開閉するホットガスバイパス開閉弁と、蒸発器の除霜運転をおこなう除霜制御手段とを備えている。そして、圧縮機から四方弁と凝縮器を経て膨張弁に至る配管の蓄熱量を検出する蓄熱量検出手段を設け、除霜制御手段は、蒸発器の着霜を検出すると、四方弁を切替えて逆サイクル除霜運転をおこない、蓄熱量検出手段により検出される配管蓄熱量が設定値以下になったら四方弁を正サイクル側に切替えると共にホットガスバイパス開閉弁を開いてホットガスバイパス除霜運転をおこなうことを特徴とする。
【００１１】
すなわち、除霜運転の開始時は逆サイクル除霜運転をおこない、元々凝縮器として作用していた室内熱交換器や、室内熱交換器側の配管（凝縮器側の配管）の蓄熱を利用するので、ホットガスバイパス除霜運転に比べて霜の融解熱源を大きくとることができる。そして、この蓄熱は除霜運転を続けるにつれて除々に低下していくが、蓄熱量検出手段によって圧縮機から四方弁と凝縮器を経て膨張弁に至る配管の蓄熱量を検出し、検出値が設定値より低下したら逆サイクル除霜運転からホットガスバイパス除霜運転に切替える。これにより、除霜に利用可能な蓄熱を使い切っても霜が完全に融解しない場合は、より効率の良いホットガスバイパス除霜運転に切替えて除霜運転の全体の時間の短縮を図ることができる。また、ホットガスバイパス除霜運転は、正サイクル側で冷媒を循環するため、除霜運転を終了して暖房運転を再開する時には、室内熱交換器及び室内熱交換器側の配管は暖められており、迅速に実質的な暖房運転を開始することができる。
【００１２】
この場合において、蓄熱量検出手段は、圧縮機から四方弁と凝縮器を経て膨張弁に至る配管の温度を検出する温度検出手段とすることができるし、また、圧縮機から四方弁と凝縮器を経て膨張弁に至る配管の圧力を検出する圧力検出手段とすることもできる。これによれば、温度の高低又は圧力の高低と、蓄熱量の多少は相関性があるので、温度又は圧力をセンサなどで簡易に検出することにより蓄熱量の多少を判断して逆サイクル除霜運転からホットガスバイパス除霜運転への切替えが可能となる。
【００１３】
さらに、圧縮機の吐出側と吸入側とを接続する吐出バイパス路と、吐出バイパス路を開閉する吐出バイパス開閉弁とを備え、除霜制御手段は、蒸発器の着霜を検出すると、吐出バイパス開閉弁を開いて逆サイクル除霜運転及びホットガスバイパス除霜運転をおこなうことができる。
【００１４】
これによれば、逆サイクル除霜運転中に吐出バイパス路に吐出ガス冷媒を流して圧縮機吸入側に導くことにより、吸入圧力を高く保持して、圧縮機への電気入力量を増加させることが可能となるため、除霜時間を短縮することが可能となる。また、逆サイクル除霜運転及びホットガスバイパス除霜運転中には、圧縮機の吸入側に液冷媒が多く戻ってくるため、液圧縮による圧縮機の信頼性が低下する問題があるが、これによれば、圧縮機吸入側に吐出ガス冷媒をバイパスするため、除霜運転中の吸入側の冷媒かわき度が大きくなり、液圧縮の危険性を回避して圧縮機の信頼性を向上することができる。
【発明の効果】
【００１５】
本発明によれば、除霜運転に要する時間を抑制し、かつ除霜運転終了後に迅速に実質的な暖房運転を開始する冷凍装置を実現することができる。
【発明を実施するための最良の形態】
【００１６】
以下、本発明を適用してなる冷凍装置の実施形態を図１〜図７を用いて説明する。なお、以下の説明では、冷凍装置の一例として空気調和機を用いて実施形態を説明するが、本発明はこれに限らず、四方弁などのサイクル切替え手段を有する冷凍機など種々の冷凍装置に適用可能である。また、同一機能部品については同一符号を付して重複説明を省略する。
【実施例１】
【００１７】
図1は、本発明の第1実施例の空気調和機の全体構成を示すブロック図である。図１に示すように、空気調和機２０は、圧縮機１、四方弁２、室外熱交換器３、室外膨張弁４、受液器５などを冷媒配管で接続して形成される室外機４０と、室内膨張弁６、室内熱交換器７などを冷媒配管で接続して形成される室内機５０とで構成されている。室外機４０と室内機５０は、液阻止弁８とガス阻止弁９を介して液接続管１０とガス接続管１１で配管接続されている。
【００１８】
室外機４０には、圧縮機１の吐出側と四方弁２とを接続する配管から、室外膨張弁４と室外熱交換器３とを接続する配管に対して、圧縮機１の吐出ガス冷媒をバイパスするためのホットガスバイパス路１３が設けられている。また、ホットガスバイパス路１３には、圧縮機1の吐出ガス冷媒を適宜に流すようにホットガスバイパス開閉弁１２が設けられている。
【００１９】
室内機５０には、室内熱交換器７、液接続管１０及びガス接続管１１などに蓄積された蓄熱量を検出する蓄熱量検出手段として、室内熱交換器７のガス側配管部の温度を検出する配管温度サーミスタ１４が取り付けられている。ただし、配管温度サーミスタ１４は、室内熱交換器７の液側配管部に設けられていてもよい。
【００２０】
配管温度サーミスタ１４の出力信号は、除霜制御手段３２に取り込まれ、除霜制御手段３２に予め設定されている値(例えば、０℃)と比較される。そして、この比較結果は、四方弁切替え手段３０及び開閉弁駆動手段３１に送られるように構成されている。また、四方弁切替え手段３０は四方弁２の駆動装置に接続され、開閉弁駆動手段３１はホットガスバイパス開閉弁１２の駆動装置に接続されている。
【００２１】
次に、本発明の空気調和機の冷凍サイクルの運転モードについて説明する。図１に示す実線矢印は暖房運転時及びホットガスバイパス除霜運転時における冷媒の流れを示し、破線矢印は逆サイクル除霜運転における冷媒の流れを示している。暖房運転時は、圧縮機１で圧縮された高温高圧の冷媒は、四方弁２、ガス阻止弁９を通過して室内熱交換器７に流入し、室内熱交換器７を通過する空気と熱交換して凝縮液化し、室内膨張弁６に流入する。
【００２２】
そして、室内膨張弁６により、室内熱交換器７出口の冷媒過冷却量をある一定値となるように調整され、液阻止弁８を通り受液器５に送られ、冷凍サイクルで不要となった液冷媒は受液器５に貯留される。そして、受液器５下部の液冷媒を吸出して室外膨張弁４に送られた冷媒は、室外熱交換器３で蒸発できる圧力まで減圧された後室外熱交換器３に流入し、室外熱交換器３を通過する空気と熱交換して蒸発ガス化し、四方弁２を通過して圧縮機１に戻る。
【００２３】
ここで、室外熱交換器３を通過する空気の温度が低く、室外熱交換器３の蒸発温度が低下し０℃以下となると空気中の水分が霜となって室外熱交換器３のフィン表面に付着し、室外熱交換器３を通過する空気の抵抗となるため、室外熱交換器３を通過する空気の風量が低下し蒸発性能が低下する。これに伴い、室内熱交換器７での放熱量も低下するため暖房能力が低下する。そこで、ある程度室外熱交換器３に霜が付着した段階で室外熱交換器３の霜を融解するための除霜運転がおこなわれる。
【００２４】
以下、本発明の空気調和機の特徴部である除霜運転について説明する。図２は、本実施例の除霜運転のタイムチャート図である。また、図３は、本実施例の除霜運転のフローチャート図である。
【００２５】
図２に示すように、暖房運転中は、室外膨張弁４で圧縮機１吐出側の冷媒過熱度を制御し、室内膨張弁６で室内熱交換器７の冷媒過冷却度を制御している（サブクール制御）。そして、図２、３に示すように、暖房運転中に（Ｓ０）、室外熱交換器４の温度を検出したり、圧縮機１の吸入圧力を検出したりするなどの公知の手段で着霜を検出して、除霜運転を開始するか否かを判定する（Ｓ１）。除霜運転開始の指令を受けた場合は（Ｓ１でＹｅｓ）、まず、圧縮機運転周波数を最低周波数まで下げ吐出圧力と吸入圧力の差を小さくする（Ｓ２）。
【００２６】
その状態で四方弁２を暖房モード(正サイクル)から冷房モード(逆サイクル)に切替え、室内ファン及び室外ファンを停止し、室内膨張弁６及び室外膨張弁４を逆サイクル除霜運転での所定開度(例えば、全開もしくは開き気味状態)にして逆サイクル除霜運転を行う（Ｓ３）。冷凍サイクルの切替え後は、圧縮機１への電気入力量を増加させるため、例えば圧縮機運転周波数を最大にするなど、圧縮機運転周波数をできる限り高く保つように制御する（Ｓ４）。
【００２７】
次に、室内熱交換器のガス管側に取り付けた配管温度サーミスタ１４により検出される室内ガス管温度が例えば０℃以下となるかを判定して（Ｓ５）、０℃以下となったら、四方弁２を冷房モード(逆サイクル)から暖房モード(正サイクル)に切替えると共に、ホットガスバイパス開閉弁１２を開いてホットガスバイパス除霜運転をおこなう（Ｓ６）。
【００２８】
ホットガスバイパス除霜運転中は、室外膨張弁４の開度を制御することにより圧縮機１吐出側の冷媒過熱度を制御し、室外熱交換器３の温度又は圧縮機１の吸入圧力などに応じて除霜運転を終了するか否かを判定する（Ｓ７）。除霜運転終了の指令がなされたら（Ｓ７でＹｅｓ）、ホットガスバイパス開閉弁１２を閉じて室外膨張弁４及び室内膨張弁６を暖房始動初期開度に設定し、室内ファン及び室外ファンを所定の風量が出るように運転することで暖房運転が再開される（Ｓ８、Ｓ９）。
【００２９】
以上説明したように、本発明では、除霜運転の初期段階では逆サイクル除霜運転を行い、暖房運転中に高温となっていた室内熱交換器７、液接続管１０及びガス接続管１１などに蓄積された配管蓄熱量を使い、室外熱交換器３で放熱し液化した冷媒を蒸発させ圧縮機に吸込ませるため、蓄熱量が多い場合は圧縮機１の吸入圧力を高く保つことが可能となり、冷凍サイクル内を流れる冷媒循環量を多く保てると共に、圧縮機１の電気入力量を増加させることが可能となり、ひいては霜の融解熱源を多く抽出することが可能となる。
【００３０】
また、配管蓄熱量が少なくなる場合は、室外熱交換器３で放熱し液化した冷媒を蒸発させられないため、圧縮機１の吸入圧力が低くなり、冷凍サイクル内を流れる冷媒循環量が減少し、かつ圧縮機１の電気入力量も減少し、ひいては霜の融解熱源が減少する。本発明では、配管蓄熱量の検出を蓄熱量と相関のある室内熱交換器７のガス管側に取り付けられた配管温度サーミスタ１４で検出しているため、配管蓄熱量が減少し霜の融解熱源が減少するタイミングを検出可能となる。配管蓄熱量が減少する除霜運転の後半段階は、ホットガスバイパス除霜運転をおこなうことで、逆サイクル除霜運転よりも圧縮機１の吸入圧力が上昇するため、冷凍サイクル内を流れる冷媒循環量を増加させ、かつ圧縮機１の電気入力量を増加させることが可能となり、ひいては霜の融解熱源を増加させることが可能となる。
【００３１】
つまり、配管蓄熱量を検出し、蓄熱量の変化によって除霜運転を逆サイクル除霜運転からホットガスバイパス除霜運転に切り替えることにより、除霜運転の全般にわたり霜の融解熱源を最大に引き出すことが可能となり、除霜運転を短縮することができる。
【００３２】
また、除霜運転の後半がホットガスバイパス除霜運転であるため、暖房運転再開直前の室内熱交換器７、液接続管１０やガス接続管１１の圧力は、圧縮機吐出側の圧力状態となり、各部の温度も高い状態となるため、暖房運転を再開した場合の立ち上りが早くなり、実質的な暖房運転を迅速におこなうことができる。
【００３３】
ここで、配管温度サーミスタ１４の設定値は０℃に限らず、適宜設定することができる。例えば０℃以上の３℃や５℃に設定した場合は、逆サイクル除霜運転中の室内熱交換器７の凍結防止も可能となる。
【実施例２】
【００３４】
図４は、本発明の第２実施例の空気調和機の全体構成を示すブロック図である。図４において、図１と同符号のものは同一のものを示す。本実施例では、図１に示す室内熱交換器７、液接続管１０及びガス接続管１１に蓄積された蓄熱量を検出する蓄熱量検出手段として、蓄熱量と相関のある圧縮機吸入側の圧力を検出する吸入圧力センサ１５を用いて、吸入圧力センサ１５の出力を除霜制御手段３２に入力している。そして、除霜制御手段３２は、予め設定された設定値と吸入圧力センサ１５の出力値とを比較して、比較結果を四方弁切替え手段３０及び開閉弁駆動手段３１へ出力するようになっている。それ以外の構成は、図１に示す冷凍サイクルと同様なので、説明は省略する。
【００３５】
まず、除霜制御手段３２は、実施例１と同様に暖房運転中に蒸発器として作用する室外熱交換器３の着霜を検出すると、四方弁２を切替えて逆サイクル除霜運転をおこなう。逆サイクル除霜運転中は、室内熱交換器７、液接続管１０及びガス接続管１１に蓄積された蓄熱量が十分にある場合は、この蓄熱を吸熱して冷媒を蒸発できるため吸入圧力が高くなるが、蓄熱量が少なくなると吸熱量が低減し吸入圧力が低下する。このため、吸入圧力値がある一定値(例えば、０．３ＭＰａ)以下となった時点で四方弁２を冷房モード(逆サイクル)から暖房モード(正サイクル)に切替えると共に、ホットガスバイパス開閉弁１２を開いてホットガスバイパス除霜運転を行うように制御する。
【００３６】
これにより、除霜運転の全般にわたって霜の融解熱源を最大に引き出すことが可能となり、除霜運転を短縮することができる。また、ホットガスバイパス除霜運転中の吸入圧力は、室外熱交換器３の凝縮圧力を表わしており、この圧力値が霜の融解できる温度(例えば、５℃)以上の飽和圧力値となった時点で、ホットガスバイパス除霜運転を終了するようにすれば、除霜終了の判定と配管蓄熱量の検出を一つのセンサで行うことが可能となり、製造コストの低減が可能となる。
【００３７】
なお、本実施例では、吸入圧力センサ１５を、圧縮機１の吸入側の直近に設けているが、これに限らず、室内熱交換器７の上流側又は下流側の配管などに設けても同様に課題を解決することができる。
【実施例３】
【００３８】
図５は、本発明の第３実施例の空気調和機の全体構成のブロック図である。図５において、図１又は図４と同符号のものは同一のものを示す。本実施例は、図１又は図４に示す空気調和機に対して、圧縮機１の吐出側配管から圧縮機１の吸入側配管にガス冷媒をバイパスする吐出バイパス路１７を設け、吐出バイパス路１７に圧縮機1の吐出ガス冷媒を適宜に流すように吐出バイパス開閉弁１６が設けられた構成となっている。それ以外の構成は、図１又は図４に示す空気調和機と同様であるので、説明は省略する。
【００３９】
図６は、本実施例での除霜運転のフローチャート図である。実施例１と同様に暖房運転中に（Ｓ０）、除霜運転開始の指令を受けた場合は（Ｓ１でＹｅｓ）、まず、圧縮機運転周波数を最低周波数まで下げ吐出圧力と吸入圧力の差を小さくする（Ｓ２）。そして、この状態で四方弁２を暖房モード(正サイクル)から冷房モード(逆サイクル)に切替え、室内ファン及び室外ファンを停止し、室内膨張弁６及び室外膨張弁４を逆サイクル除霜運転での所定開度(例えば、全開もしくは開き気味状態)にして、さらに吐出バイパス開閉弁１６も開いて逆サイクル除霜運転をおこなう（Ｓ３）。
【００４０】
逆サイクル除霜運転中は、圧縮機１への電気入力量を増加させるため、圧縮機運転周波数をできる限り高く保つように制御する（Ｓ４）。その後、室内熱交換器のガス管側に取り付けた配管温度サーミスタ１４により検出される室内ガス管温度が例えば０℃以下となったら（Ｓ５でＹｅｓ）、四方弁２を冷房モード(逆サイクル)から暖房モード(正サイクル)に切替えると共に、ホットガスバイパス開閉弁１２を開いてホットガスバイパス除霜運転をおこなう（Ｓ６）。
【００４１】
ホットガスバイパス除霜運転中は、室外膨張弁４の開度を制御することにより圧縮機１吐出側の冷媒過熱度を制御し、吸入圧力センサで検出される吸入圧力値が所定の値(例えば、５℃の飽和圧力値)以上となったら（Ｓ７でＹｅｓ）除霜運転終了の指令を発する。これを受けて、ホットガスバイパス開閉弁１２及び吐出バイパス開閉弁１６を閉じて室外膨張弁４及び室内膨張弁６を暖房始動初期開度に設定し、室内ファン及び室外ファンを所定の風量が出るように運転することで暖房運転が再開される（Ｓ８、Ｓ９）。
【００４２】
本実施例によれば、逆サイクル除霜運転中に吐出バイパス路１７に吐出ガス冷媒を流して圧縮機吸入側に導くことにより、吸入圧力が高く保持され、圧縮機１への電気入力量が増加する。その結果、除霜時間を短縮することが可能となる。また、逆サイクル除霜運転中及びホットガスバイパス除霜運転中は、圧縮機１の吸入側に対して液冷媒が多く戻ってくるため、液圧縮による圧縮機１の信頼性が低下する問題があるが、本実施例では、圧縮機吸入側に吐出ガス冷媒をバイパスするため、除霜運転中の吸入側の冷媒かわき度が大きくなり、液圧縮の危険性を回避して圧縮機１の信頼性を向上することができる。
【００４３】
ここで、上述の実施例１〜３では、ホットガスバイパス路１３を室外膨張弁４と室外熱交換器３とを接続する配管にバイパスするように構成したが、図７に示すように受液器５と室外膨張弁４とを接続する配管にバイパスするように構成し、ホットガスバイパス除霜運転中の吐出ガス過熱度制御を室外膨張弁４から室内膨張弁６に変更し、かつ室外膨張弁４を全開で使用することで達成することが可能であり、本発明の域を脱するものではない。
【００４４】
また、本発明では、ホットガスバイパス路や吐出バイパス路に適宜冷媒を流すために開閉弁を用いているが、流量調整弁や膨張弁であっても同様の効果があり、本発明の域を脱するものではない。
【図面の簡単な説明】
【００４５】
【図１】本発明の第1実施例の空気調和機の全体構成を示すブロック図である。
【図２】第1実施例の空気調和機の除霜運転のタイムチャート図である。
【図３】第1実施例の空気調和機の除霜運転のフローチャート図である。
【図４】本発明の第２実施例の空気調和機の全体構成を示すブロック図である。
【図５】本発明の第３実施例の空気調和機の全体構成を示すブロック図である。
【図６】第３実施例の空気調和機の除霜運転のフローチャート図である。
【図７】第１〜３実施例の変形例を示す図である。
【符号の説明】
【００４６】
１  圧縮機
２  四方弁
３  室外熱交換器
４  室外膨張弁
５  受液器
６  室内膨張弁
７  室内熱交換器
１２  ホットガスバイパス開閉弁
１３  ホットガスバイパス路
１４  配管温度サーミスタ
１５  吸入圧力センサ
１６  吐出バイパス開閉弁
１７  吐出バイパス路
３０  四方弁切替え手段
３１  開閉弁駆動手段
３２  除霜制御手段  
【図１】
2008096033.tif 000003
【図２】
2008096033.tif 000004
【図３】
2008096033.tif 000005
【図４】
2008096033.tif 000006
【図５】
2008096033.tif 000007
【図６】
2008096033.tif 000008
【図７】
2008096033.tif 000009